(57)【要約】【課題】ユーザーインターフェースに慣れていないユーザーでも直感的にデータ入力を連続的に行えるようにする。【解決手段】ユーザーによる入力装置３４の操作内容に従って未登録ウィジェット６３が選択決定されて、画像データ４８が選択されると、その未登録ウィジェット６３が登録済みウィジェット６２に変更されるとともに、その登録済みウィジェット６２の右側に新たな未登録済みウィジェット６３が表示され、その登録済みウィジェット６２の下側に新たな未登録ウィジェット６６が表示される。【選択図】図１４
2018060293.tif 000002
【特許請求の範囲】
【請求項１】
入力装置の操作に従って表示装置の画面を操作するとともに、医療器材が写った複数の画像データが記録された記憶装置を読み取り可能なコンピュータに、
医療器材の取扱作業を構成する主工程を表すとともに画像が表示されていない第一未登録ウィジェットを前記画面に配置するように、前記画面を前記表示装置に表示させる第一表示ステップと、
前記第一表示ステップ後に、前記入力装置の操作に従って前記複数の画像データの中から一又は複数の画像データを選択する選択ステップと、
前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行させるためのプログラム。
【請求項２】
前記コンピュータに、
前記第二表示ステップ後に、前記入力装置の操作に従って前記複数の画像データの中から一又は複数の画像データを選択する第二選択ステップと、
前記第二選択ステップ後に、前記画面中の前記第三未登録ウィジェットを、前記第二選択ステップにおいて選択された画像データの画像が表示されるとともに前記副工程を表す第二登録済みウィジェットに変更表示し、且つ、前記画面の前記他方向に前記第二登録済みウィジェットと隣り合う位置に、前記主工程を構成する副工程を表すとともに画像が表示されていない第四未登録ウィジェットを前記画面に配置するように、前記画面を前記表示装置に表示させる第三表示ステップと、を更に実行させるための請求項１に記載のプログラム。
【請求項３】
前記コンピュータに、
前記第二表示ステップ後に、前記入力装置の操作に従って前記第三未登録ウィジェットを選択する第三選択ステップを実行させるとともに、前記第三選択ステップ後に前記第二選択ステップを実行させるための請求項２に記載のプログラム。
【請求項４】
前記コンピュータに、
前記第一表示ステップ後に、前記入力装置の操作に従って前記第一未登録ウィジェットを選択する第四選択ステップを実行させるとともに、前記第四選択ステップ後に前記選択ステップを実行させるための請求項１から３の何れか一項に記載のプログラム。
【請求項５】
入力装置と、
表示装置と、
医療器材が写った複数の画像データが記録された記憶装置と、
前記入力装置の操作に従って前記表示装置の画面を操作するとともに前記記憶装置を読み取り可能なコンピュータと、を備え、
前記コンピュータが、
医療器材の取扱作業を構成する主工程を表すとともに画像が表示されていない第一未登録ウィジェットを前記画面に配置するように、前記画面を前記表示装置に表示させる第一表示ステップと、
前記第一表示ステップ後に、前記入力装置の操作に従って前記複数の画像データの中から一又は複数の画像データを選択する選択ステップと、
前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行するＧＵＩ装置。
【請求項６】
前記コンピュータが、
前記第二表示ステップ後に、前記入力装置の操作に従って前記複数の画像データの中から一又は複数の画像データを選択する第二選択ステップと、
前記第二選択ステップ後に、前記画面中の前記第三未登録ウィジェットを、前記第二選択ステップにおいて選択された画像データの画像が表示されるとともに前記副工程を表す第二登録済みウィジェットに変更表示し、且つ、前記画面の前記多方向に前記第二登録済みウィジェットと隣り合う位置に、前記主工程を構成する副工程を表すとともに画像が表示されていない第四未登録ウィジェットを前記画面に配置するように、前記画面を前記表示装置に表示させる第三表示ステップと、を更に実行する請求項５に記載のＧＵＩ装置。
【請求項７】
入力装置の操作に従って表示装置の画面を操作するとともに、医療器材が写った複数の画像データが記録された記憶装置を読み取り可能なコンピュータが、
医療器材の取扱作業を構成する主工程を表すとともに画像が表示されていない第一未登録ウィジェットを前記画面に配置するように、前記画面を前記表示装置に表示させる第一表示ステップと、
前記第一表示ステップ後に、前記入力装置の操作に従って前記複数の画像データの中から一又は複数の画像データを選択する選択ステップと、
前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行する表示方法。
【請求項８】
前記コンピュータが、
前記第二表示ステップ後に、前記入力装置の操作に従って前記複数の画像データの中から一又は複数の画像データを選択する第二選択ステップと、
前記第二選択ステップ後に、前記画面中の前記第三未登録ウィジェットを、前記第二選択ステップにおいて選択された画像データの画像が表示されるとともに前記副工程を表す第二登録済みウィジェットに変更表示し、且つ、前記画面の前記他方向に前記第二登録済みウィジェットと隣り合う位置に、前記主工程を構成する副工程を表すとともに画像が表示されていない第四未登録ウィジェットを前記画面に配置するように、前記画面を前記表示装置に表示させる第三表示ステップと、を更に実行する請求項７に記載の表示方法。
【発明の詳細な説明】
【技術分野】
【０００１】
本発明は、工程を表すウィジェットを画面に配置するためのプログラム、ＧＵＩ装置及び表示方法に関する。
【背景技術】
【０００２】
従来、医療器材等の物品の在庫管理等を行うために管理システムが用いられている。例えば特許文献１に記載の技術では、再使用可能な手術用器具に付された識別標識を利用して、手術用器具の使用回数、殺菌処理時刻、滅菌処理者、保管場所、保管開始時刻、保管者等のデータをデータベースで管理する。
【０００３】
また、例えば特許文献２の記載の技術では、内視鏡の洗浄終了後に、その内視鏡のＩＣタグに洗浄済みを示す情報および洗浄日時を示す情報を記録するので、洗浄されていない内視鏡のＩＣタグにはそのような情報が記録されない。そのため、内視鏡の使用の前に、ＩＣタグリーダーによって内視鏡のＩＣタグに記憶された情報を読み込むことによって、その内視鏡が洗浄されたものであるか否かを認識することができる。
【先行技術文献】
【特許文献】
【０００４】
【特許文献１】特開２００５−２３７５８６号公報
【特許文献２】特開２００８−５４７３２号公報
【発明の概要】
【発明が解決しようとする課題】
【０００５】
ところで、医療器材等の物品は、正しく取り扱われることによって、その性能を発揮することができる。そのため、物品の正確な取扱が記載された取扱説明書が必要となり、使用者は取扱説明書を読みながらその物品を取り扱う。例えば、手術用器具等の医療器材の取扱作業として、医療器材を分解した上で洗浄し、洗浄後に医療器材を組み立て、その後に医療器材を滅菌するが、その際に作業者は取扱説明書により取扱方法を確認しつつ作業を遂行する。
【０００６】
しかしながら、実際の使用現場において使用しない機能に関する説明が取扱説明書にあり、その取扱説明書の記載が長い。一方、取扱説明書の内容だけでは、説明不足であることもある。そのため、医療器材等の物品の使用現場に合わせて、取扱説明書に基づき新たな説明書を作成することがある。説明書を作成するにあたり、コンピュータのワープロ機能等を利用することがあるが、コンピュータのワープロ機能は汎用的なものであり、医療器材等の物品の説明書の作成に特化されたものではない。特に、コンピュータのユーザーインターフェースに慣れる必要があり、作成者にとっては説明書を簡単に作成することができない。
【０００７】
そこで、本発明は上記事情に鑑みてなされたものであり、本発明が解決しようとする課題は、ユーザーインターフェースに慣れていないユーザーでも直感的にデータ入力を連続的に行えるようにすることである。
【課題を解決するための手段】
【０００８】
上記目的を達成するための主たる発明は、入力装置の操作に従って表示装置の画面を操作するとともに、医療器材が写った複数の画像データが記録された記憶装置を読み取り可能なコンピュータを、医療器材の取扱作業を構成する主工程を表すとともに画像が表示されていない第一未登録ウィジェットを前記画面に配置するように、前記画面を前記表示装置に表示させる第一表示ステップと、前記第一表示ステップ後に、前記入力装置の操作に従って前記複数の画像データの中から一又は複数の画像データを選択する選択ステップと、前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行させるためのプログラムである。
【０００９】
本発明の他の特徴については、後述する明細書及び図面の記載により明らかにする。
【発明の効果】
【００１０】
本発明によれば、ユーザーインターフェースに慣れていないユーザーでも直感的にデータ入力を連続的に行える。
【図面の簡単な説明】
【００１１】
【図１】図１は、ネットワークシステムの構成を示した図面である。
【図２】図２は、医療器材が取り扱われる作業サイクルを示すチャートである。
【図３】図３は、画面遷移の説明図である。
【図４】図４は、ＧＵＩ装置としての端末のブロック図である。
【図５】図５は、上位プロセスデータの構成を模式的に示した図面である。
【図６】図６は、主工程データの構成を模式的に示した図面である。
【図７】図７は、副工程データの構成を模式的に示した図面である。
【図８】図８は、端末の表示装置に表示される作業フロー作成画面を示した図である。
【図９】図９は、作業フロー作成画面に表示される主工程の登録済みウィジェットを示した図である。
【図１０】図１０は、作業フロー作成画面に表示される主工程の未登録ウィジェットを示した図である。
【図１１】図１１は、作業フロー作成画面に表示される副工程の登録済みウィジェットを示した図である。
【図１２】図１２は、作業フロー作成画面に表示される副工程の未登録ウィジェットを示した図である。
【図１３】図１３は、作業フロー作成画面に表示されるデータ登録ウィジェットを示す図である。
【図１４】図１４（ａ）は、主工程の未登録ウィジェットが登録済みウィジェットに変更される前の作業フロー作成画面を示す図であり、図１４（ｂ）は、主工程の未登録ウィジェットが登録済みウィジェットに変更された後の作業フロー作成画面を示す図である。
【図１５】図１５は、主工程及び副工程の未登録ウィジェットが（ａ）〜（ｄ）の順に横方向に次々表示されることの説明図である。
【図１６】図１６（ａ）は、副工程の未登録ウィジェットが登録済みウィジェットに変更される前の作業フロー作成画面を示す図であり、図１６（ｂ）は、副工程の未登録ウィジェットが登録済みウィジェットに変更された後の作業フロー作成画面を示す図である。
【図１７】図１７は、副工程の未登録ウィジェットが（ａ）〜（ｄ）の順に縦方向に次々表示されることの説明図である。
【発明を実施するための形態】
【００１２】
後述する明細書及び図面の記載から、少なくとも以下の事項が明らかとなる。
【００１３】
入力装置の操作に従って表示装置の画面を操作するとともに、医療器材が写った複数の画像データが記録された記憶装置を読み取り可能なコンピュータに、医療器材の取扱作業を構成する主工程を表すとともに画像が表示されていない第一未登録ウィジェットを前記画面に配置するように、前記画面を前記表示装置に表示させる第一表示ステップと、前記第一表示ステップ後に、前記入力装置の操作に従って前記複数の画像データの中から一又は複数の画像データを選択する選択ステップと、前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行させるためのプログラムが明らかとなる。
【００１４】
入力装置と、表示装置と、医療器材が写った複数の画像データが記録された記憶装置と、前記入力装置の操作に従って前記表示装置の画面を操作するとともに前記記憶装置を読み取り可能なコンピュータと、を備え、前記コンピュータが、医療器材の取扱作業を構成する主工程を表すとともに画像が表示されていない第一未登録ウィジェットを前記画面に配置するように、前記画面を前記表示装置に表示させる第一表示ステップと、前記第一表示ステップ後に、前記入力装置の操作に従って前記複数の画像データの中から一又は複数の画像データを選択する選択ステップと、前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行するＧＵＩ装置が明らかとなる。
【００１５】
入力装置の操作に従って表示装置の画面を操作するとともに、医療器材が写った複数の画像データが記録された記憶装置を読み取り可能なコンピュータが、医療器材の取扱作業を構成する主工程を表すとともに画像が表示されていない第一未登録ウィジェットを前記画面に配置するように、前記画面を前記表示装置に表示させる第一表示ステップと、前記第一表示ステップ後に、前記入力装置の操作に従って前記複数の画像データの中から一又は複数の画像データを選択する選択ステップと、前記選択ステップ後に、前記画面中の前記第一未登録ウィジェットを、前記選択ステップにおいて選択された画像データの画像が表示されるとともに前記主工程を表す登録済みウィジェットに変更表示し、前記画面の縦方向と横方向のうち一方向に前記登録済みウィジェットと隣り合う位置に、前記主工程を表すとともに画像が表示されていない第二未登録ウィジェットを前記画面に配置し、且つ、前記画面の縦方向と横方向のうち他方向に前記登録済みウィジェットと隣り合う位置に、前記主工程を構成する副工程を表すとともに画像が表示されていない第三未登録ウィジェットを前記画面に配置するように、前記画面を前記表示装置に表示させる第二表示ステップと、を実行する表示方法が明らかとなる。
【００１６】
以上のプログラム、ＧＵＩ装置及び表示方法によれば、ユーザーが入力装置を操作すると、医療器材が写った画像データが選択される。そして、表示装置の画面では、主工程を表す第一未登録ウィジェットは、その画像データの画像が表示された登録済みウィジェットに変更される。また、主工程を表す第二未登録ウィジェットが、画面の縦方向と横方向のうち一方向に登録済みウィジェットと隣り合う位置に表示され、その主工程を構成する副工程を表す第三未登録ウィジェットが画面の縦方向と横方向のうち一方向に登録済みウィジェットと隣り合う位置に表示される。そのため、第二未登録ウィジェット及び第三未登録ウィジェットによって新たな画像データの選択をユーザーに催促でき、ユーザーが容易に次の入力作業を行える。よって、ユーザーが連続的に入力作業を行える。
また、ウィジェットの配列により、主工程の順番や副工程の順番を直感的に認識することができる。
【００１７】
好ましくは、前記プログラムによって前記コンピュータが、前記第二表示ステップ後に、前記入力装置の操作に従って前記複数の画像データの中から一又は複数の画像データを選択する第二選択ステップと、前記第二選択ステップ後に、前記画面中の前記第三未登録ウィジェットを、前記第二選択ステップにおいて選択された画像データの画像が表示されるとともに前記副工程を表す第二登録済みウィジェットに変更表示し、且つ、前記画面の前記他方向に前記第二登録済みウィジェットと隣り合う位置に、前記主工程を構成する副工程を表すとともに画像が表示されていない第四未登録ウィジェットを前記画面に配置するように、前記画面を前記表示装置に表示させる第三表示ステップと、を更に実行する。
【００１８】
以上によれば、ユーザーが入力装置を更に操作すると、医療器材が写った画像データが選択される。そして、表示装置の画面では、副工程を表す第三未登録ウィジェットは、その画像データの画像が表示された第二登録済みウィジェットに変更される。副工程を表す第四未登録ウィジェットが、画面の縦方向と横方向のうち他方向に第二登録済みウィジェットと隣り合う位置に表示される。そのため、第四未登録ウィジェットによって新たな画像データの選択をユーザーに催促でき、ユーザーが容易に次の入力作業を行える。よって、ユーザーが連続的に入力作業を行える。
【００１９】
＝＝＝実施形態＝＝＝
以下、図面を参照して、本発明の実施形態について説明する。但し、以下に述べる実施形態には、本発明を実施するために技術的に好ましい種々の限定が付されている。そのため、本発明の範囲を以下の実施形態及び図示例に限定するものではない。
【００２０】
＜１．システム＞
図１に示すように、ネットワークシステム（作業フロー作成支援システム）１は、サーバ２、複数の端末３（この例では、３台の端末３−１、端末３−２、端末３−３）及び通信ネットワーク４を備える。端末３−１〜３−３はネットワーク４を介してサーバ２と通信可能となっている。端末３−１〜３−３はデスクトップ型、ノートブック型又はタブレット型のコンピュータシステムである。端末３−１〜３−３は携帯可能なコンピュータシステムでもよいし、据置型のコンピュータシステムでもよい。サーバ２はタワー型、デスクトップ型、ラックマウント型又はブレード型のコンピュータシステムである。ネットワーク４は、病院内に張り巡らされた専用回線網であり、例えば、有線又は無線等を利用したＬＡＮ（Local Area Network）である。
【００２１】
このシステム１は、医療器材の取り扱いに関する医療器材取扱作業の内容を作業者に視覚的に提示するために、その医療器材取扱作業の流れを表現するためのコンテンツ（以下、作業フローコンテンツという）の作成を支援する装置である。作業フローコンテンツの作成については後に詳述するので、まず医療器材取扱作業及びその際のシステム１の使用方法について以下に説明する。
【００２２】
＜２．医療器材取扱作業及び画面遷移＞
医療器材取扱作業とは、医療器材を用いる手術に向けて実施される作業である。医療器材とは、例えば内視鏡、超音波プローブ、鉗子、剪刃、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、エレパトリューム、ノミ、鋭匙、剥離子、鏡、縫合針、スタンツェ、受水器、針、圧子、ブジー、通気管、骨片打ち込み棒、リウエル、ラジオペンチ、ハンマー、角度計、穿孔器、スポイト、金属綿棒、浣腸器、シリンジ等の器材である。複数の器材の組合せ（例えば、複数の鉗子、メス、剪刀からなる手術用セット）も医療器材に含まれる。
【００２３】
図２は、医療器材が取り扱われる作業サイクルを示すチャートである。図２に示すように、医療器材取扱作業としては例えば回収作業Ｓ２、洗浄作業Ｓ３、組立作業Ｓ４、減菌作業Ｓ５及び保管作業Ｓ６があり、何れの作業Ｓ２〜Ｓ６においても医療器材を取り扱う。
【００２４】
具体的には、医師が手術Ｓ１において医療器材を利用したら、その医療器材を手術Ｓ１後に回収する（回収作業Ｓ２）。その後、回収した医療器材を分解した上で、洗浄装置によって洗浄する（洗浄作業Ｓ３）。その後、洗浄した医療器材を組み立てる（組立作業Ｓ４）。その後、組み立てた医療器材の滅菌処理を実施する（滅菌作業Ｓ５）。その後、滅菌処理後の医療器材を手術に向けて保管する（保管作業Ｓ６）。保管した医療器材を再び手術Ｓ１に利用することになる。
システム１は、回収作業Ｓ２、洗浄作業Ｓ３、組立作業Ｓ４、減菌作業Ｓ５及び保管作業Ｓ６等の医療器材取扱作業で用いられる。
【００２５】
詳細については後述するが、ユーザーがシステム１の端末３−１〜３−３又はサーバ２を操作することによって、作業フローコンテンツが作成され、作成された作業フローコンテンツがサーバ２の記憶装置に記録される。サーバ２の記憶装置に記録された作業フローコンテンツは端末３−１〜３−３の記憶装置にも同期（記録）される。その後、作業者が医療器材取扱作業を行う際に端末３−１を操作することによって、その医療器材取扱作業の流れ及び内容が端末３−１に提示されるので、作業者が端末３−１を見て作業内容を確認しながら、医療器材取扱作業を進めることができる。ここで、医療器材取扱作業は最上位の一又は複数の上位プロセスから構成され、各上位プロセスは中上位の一又は複数の主工程から構成され、各主工程は最下位の一又は複数の副工程から構成される。つまり、主工程は、その主工程を構成要素とした上位プロセスの作業を完了するために要する詳細作業の工程をいい、上位プロセスの作業を細かく分割したものが主工程の詳細作業である。また、副工程は、その副工程を構成要素とした主工程の作業を完了するために要する詳細作業の工程をいい、主工程の作業を細かく分割したものが副工程の詳細作業である。
【００２６】
図３を参照して、端末３−１に表示される内容について説明する。ここで、図３は、作業フローコンテンツに従って端末３−１の表示装置に表示される画面の遷移を示したものである。
【００２７】
作業者が医療器材取扱作業中に所定の上位プロセスを実行することになったら、端末３−１に表示されたプロセス選択画面（選択肢一覧画面）を見ながら端末３−１を操作することによって、複数の選択肢（選択肢と上位プロセスは一対一で対応する。）の中から所定選択肢（所定選択肢は所定の上位プロセスに対応する。）を選択する。ここで、選択肢の表示態様としては、例えばウィジェット（ウィジェットには、後述の上位プロセスデータ４５の画像指定データで指定された画像が表示される）、アイコン（後述の上位プロセスデータ４５の画像指定データで指定された画像のサムネイル）、ボタン、ラジオチェック等である。
その後、作業者が所定の上位プロセス中の作業進行に伴って端末３−１を操作（例えばフリック操作、スワイプ操作、タップ操作、マルチタップ操作、スクロール操作又はドラッグ操作）することによって、端末３−１の表示装置の表示内容が画面Ａ、画面Ｂ、画面Ｃ、画面Ｄの順に遷移する。画面Ａ〜Ｄは、それぞれ、医療器材取扱作業中の所定の上位プロセスを構成する各主工程に関連する画面であり、より具体的には各主工程における作業内容及びその作業による医療器材の状態を表示するものである。また、画面Ａ〜Ｄには、画面Ａ〜Ｄに関連する工程が構成した上位プロセスを特定するための情報（例えば、上位プロセスの作業名称、上位プロセスの作業内容の概要）が表示される。なお、医療器材取扱作業中の各上位プロセスを構成する主工程の数は４に限るものではなく、主工程に関連する画面の数は主工程の数に等しい。
【００２８】
また、画面Ｂが端末３−１の表示装置に表示されている際に作業者が端末３−１を操作すると、端末３−１の表示装置の表示内容が画面Ｂから画面Ｂ１に遷移する。更に作業者が端末３−１を操作することによって、端末３−１の表示装置の表示内容が画面Ｂ１から画面Ｂ２に遷移したり、画面Ｂ２から画面Ｂ１に遷移したり、画面Ｂ１から画面Ｂに遷移したりする。画面Ｂ１，Ｂ２は、画面Ｂに関連する主工程を構成する各副工程（詳細工程）に関連する画面であり、より具体的には各副工程おける作業内容及びその作業による医療器材の状態を表示するものである。
【００２９】
画面Ｄが端末３−１の表示装置に表示された際も同様に、作業者による端末３−１の操作によって画面Ｄ〜画面Ｄ１、画面Ｄ１〜画面Ｄ２の遷移がある。画面Ｄ１，Ｄ２は、画面Ｄに関する主工程を構成する各副工程に関連する画面であり、より具体的には各副工程おける作業内容及びその作業による医療器材の状態を表示するものである。なお、画面Ｂ，Ｄに関連する主工程を構成する副工程の数は２に限るものではなく、副工程に関連する画面の数は副工程の数に等しい。
【００３０】
主工程は、通常作業工程と品質重要作業工程とカウント作業工程とに分類される。画面Ａ〜Ｄは、それぞれの主工程の分類を識別可能となっている。例えば、画面Ａ〜Ｄの周辺部には工程分類表示部１６が表示され、工程分類表示部１６の色が主工程の分類を表す。例えば、画面Ａに関連する主工程が通常作業工程であるので、画面Ａの工程分類表示部１６は青色に描画され、画面Ｂ，Ｄに関連する主工程が品質重要作業工程であるので、画面Ｃの工程分類表示部１６は赤色に描画され、画面Ｃに関連する主工程がカウント作業工程であるので、画面Ｃの工程分類表示部１６が赤色に描画される。一方、副工程の種類は通常作業工程のみであるが、副工程の場合の工程分類表示部１６の色（例えば緑色）と、主工程が通常作業工程である場合の工程分類表示部１６の色（例えば青色）とが相違することによって、表示された画面が主工程と副工程の何れに関連するものであるかを視覚的に識別できる。
【００３１】
画面Ａ〜Ｄ，Ｂ１，Ｂ２，Ｄ１，Ｄ２の何れにも、器材表示部１１及び作業内容表示部１２が表示される。作業内容表示部１２には、その工程の作業内容がテキストにより表示される。器材表示部１１には、その工程の作業による医療器材の状態が画像により表示される。
【００３２】
画面Ａ〜Ｄには、頁番号又は主工程順番を表す順番表示部１３が表示される。頁番号とは、画面Ａを基準として、画面Ａ〜Ｄそれぞれの表示順を昇順で表したものである。主工程順番とは、画面Ａに関する主工程を基準として、画面Ａ〜Ｄそれぞれの主工程の順番を昇順で表したものである。頁数及び主工程順番は、数字（テキスト）により表してもよいし、記号、マーク、模様又はインジゲータ等により表してもよい。
【００３３】
画面Ｂには、標識を表す標識表示部１４が表示される。標識表示部１４に表示される標識（例えば、「詳細」又は「ＣＨＥＣＫ」というテキスト）は、画面Ｂに関連する主工程が副工程を有することを表す。画面Ｃに関連する主工程が副工程を有するので、画面Ｄにも標識表示部１４が表示される。画面Ａ，Ｃに関連する主工程は副工程を有さないので、画面Ａ，Ｃには標識表示部が表示されない。
【００３４】
画面Ｂ１，Ｂ２，Ｄ１，Ｄ２には、副工程順番を表す順番表示部１５が表示される。副工程順番とは、主工程を構成する副工程の順番を昇順で表したものである。副工程順番は、数字（テキスト）により表してもよいし、記号、マーク、模様又はインジゲータ等により表してもよい。
【００３５】
画面Ａが表示されている時には、作業者は画面Ａの作業内容表示部１２を視認することによってその工程の作業内容を確認することができる。また、画面Ａの器材表示部１１を視認することによって、取り扱っている実際の医療器材と器材表示部１１の医療器材画像とを対比することができ、それにより、その工程の作業が正確に進捗したか否かを確認することができる。つまり、取り扱っている実際の医療器材の状態が器材表示部１１の医療器材画像と同程度になっていれば、その工程の作業が正確であると認識でき、実際の医療器材の状態が器材表示部１１の医療器材画像と異なっていれば、その工程の作業が不正確であると認識できる。
【００３６】
作業者が医療器材取扱作業の進行に伴って端末３−１を操作することによって、端末３−１の表示部の表示内容が画面Ａ、画面Ｂ、画面Ｃ、画面Ｄの順に遷移する。そのため、作業者は、各工程における作業内容及び作業の正確性を視覚的に認識することができる。
【００３７】
画面Ｂ，Ｄに関連する主工程は品質重要作業工程であるが、品質重要作業工程の画面Ｂ，Ｄから次の画面へ遷移させるための操作は、通常作業工程やカウント作業工程の画面から次の画面へ遷移させるための操作と相違する。つまり、画面Ｂ，Ｄの右下には確認ボタン１７が表示され、確認ボタン１７の選択決定のための操作（例えばシングルクリック、ダブルクリック、タップ、ダブルタップ、長押し）が行われることによって、次の画面に遷移する。この確認ボタン１７の選択決定のための操作が行われないと、次の画面が表示されないため、作業者に念入りに作業及び確認させることにより、品質重要作業の品質が担保される。なお、画面Ｄの表示後において確認ボタン１７の選択決定の操作が行われると、端末３−１の画面が上述のプロセス選択画面に戻るか、次の上位プロセスに関する画面に移行するが、作業者が次の上位プロセス中の作業進行に伴って端末３−１を操作することによって、端末３−１の画面遷移が同様に実行される。
【００３８】
画面Ｃに関連する主工程はカウント作業工程であるが、カウント作業工程の画面Ｃから次の画面へ遷移させるための操作は、通常作業工程や品質重要作業工程の画面から次の主工程の画面へ遷移させるための操作と相違する。具体的には、画面Ｃの器材表示部１１には、複数のウィジェット１１ａが表示されるが、これらウィジェット１１ａには医療器材の構成要素の画像が表示されている。そして、作業者は、実際の医療器材の構成要素とウィジェット１１ａを対比しながら、端末３−１を操作する。具体的には、ウィジェット１１ａに表示された構成要素が実際の医療器材に含まれていたら、作業者が端末３−１を操作することによってそのウィジェット１１ａを選択する。こうして、全てのウィジェット１１ａが選択されたら、画面Ｃから次の画面に遷移する。従って、画面Ｃが表示されることによって、実際の医療器材の構成要素の有無の確認作業やそれら構成要素の計数作業が完了しなければ、画面Ｃから次の画面に遷移しないので、そのような作業を作業者に強制的に行わせることができる。
なお、作業者が医療器材取扱作業中の別の上位プロセスを実行する際にも、上位プロセス中の作業進行に伴って端末３−１を操作することによって、端末３−１の画面遷移が同様に実行される。
【００３９】
＜３．作業フローコンテンツの作成＞
ユーザーがシステム１の端末３−１〜３−３又はサーバ２を使用することによって、上述のような画面の遷移を実現するための作業フローコンテンツを作成する。以下、端末３−１を用いて作業フローコンテンツを作成するものとして、端末３−１について詳細に説明する。
【００４０】
＜３−１．ハードウェア＞
端末３−１は、作業フローコンテンツの作成を支援する支援装置であって、且つウィジェットの表示制御をするＧＵＩ（Graphical User Interface）装置である。図４に示すように、この端末３−１は、ハードウェアとして演算処理装置３１、記憶装置３２、表示装置３３、入力装置３４及び通信ユニット３５を備える。
【００４１】
演算処理装置３１は、ＣＰＵ、ＧＰＵ、ＲＯＭ、ＲＡＭ、バス及びハードウェアインタフェース等を有するコンピュータである。記憶装置３２は、演算処理装置３１にとって読み書き可能な半導体メモリ又はハードディスクドライブ等からなる記憶装置である。表示装置３３は、画面表示を行うディスプレイ装置である。入力装置３４は、タッチパネル、スイッチ、キーボード、ポインティングデバイス等の入力装置である。通信ユニット３５は、ネットワークアダプタ（例えば、ネットワークインターフェースカード、無線ＬＡＮ子機）である。
【００４２】
なお、端末３−２，３−３及びサーバ２も、端末３−１と同様に、演算処理装置、記憶装置、表示装置、入力装置及び通信ユニットを備える。
【００４３】
＜３−２．データ＞
記憶装置３２には、演算処理装置３１によって読込可能な複数の画像データ４８が記録されている。画像データ４８は、各工程の作業による医療器材の状態を示すために医療器材が写った画像である。画像データ４８が固有のデータ（例えばファイル名、識別子）を有し、固有のデータに基づき各画像データ４８を他の画像データ４８から識別することができる。
【００４４】
画像データ４８は、医療器材の種別、状態、構成要素（部品）、組合せ等ごとに予め記憶装置３２に記録されたものである。また、医療器材が病院に導入（譲受、購入、仕入れ、貸与）される度、その医療器材及びその構成要素を電子カメラで撮像することで得られた画像データがサーバ２の記憶装置のデータベースに登録され、その画像データが画像データ４８として記憶装置３２にも同期（記録）される。
【００４５】
記憶装置３２には、作業フローコンテンツ４４が記録される。作業フローコンテンツ４４は、後述のように作成されるものであり、上述のように医療器材取扱作業の進行に伴う画面の遷移に用いられる。作業フローコンテンツ４４は、上位プロセスごとの上位プロセスデータ４５と、主工程ごとの主工程データ４６と、副工程ごとの副工程データ４７とから構成されている。
【００４６】
図５は、上位プロセスデータ４５のデータ構成を示した図面である。上位プロセスデータ４５は、上位プロセス順番データと、作業名データと、画像指定データとを有する。上位プロセス順番データは、上位プロセスの順番を示すデータである。作業名データは、上位プロセスの作業内容を簡単且つ簡潔に表す作業名称を示すテキストデータである。画像指定データは、複数の画像データ４８の中から特定の画像データ４８を指定するためのデータであり、より具体的には特定の画像データ４８の固有のデータ（例えばファイル名、識別子）を示す。上述のように、プロセス選択画面では、これら上位プロセスデータ４５の画像指定データで指定された画像が表示される。
【００４７】
図６は、主工程データ４６のデータ構成を示した図面である。主工程データ４６は、上位プロセス順番データと、主工程順番データと、作業内容データと、分類データと、画像指定データと、副工程有無データとを有する。
上位プロセス順番データは、主工程が属する上位プロセスの順番を示すデータであり、上位プロセス順番データの値が等しい主工程データ４６と上位プロセスデータ４５は互いに対応付けられている。
【００４８】
主工程順番データは、主工程の順番を示すデータである。画面Ａ〜Ｄの表示の際には、主工程順番データが演算処理装置３１によって参照されて、主工程順番データに従って順番表示部１３の表示内容が演算処理装置３１によって決定されるとともに、画面Ａ〜Ｄの表示順が演算処理装置３１によって決定される。
作業内容データは、主工程の作業内容を示すテキストデータである。画面Ａ〜Ｄの表示の際には、作業内容データが演算処理装置３１によって参照されて、作業内容データに従って作業内容表示部１２の表示内容が演算処理装置３１によって決定される。
【００４９】
分類データは主工程の分類を示すデータであり、分類データの値としては「通常作業」、「品質重要作業」、「カウント作業」がある。主工程が通常作業工程と品質重要作業工程とカウント作業工程の何れかに分類されるかは分類データに基づき認識でき、画面Ａ〜Ｄの表示の際には分類データが演算処理装置３１によって参照されて、分類データに従って工程分類表示部１６の色が演算処理装置３１によって決定される。
【００５０】
画像指定データは、複数の画像データ４８の中から特定の画像データ４８を指定するためのデータであり、より具体的には特定の画像データ４８の固有のデータ（例えばファイル名、識別子）を示す。画面Ａ〜Ｄの表示の際には、画像指定データが演算処理装置３１によって参照されて、画像指定データに従って指定された画像データ４８が演算処理装置３１によって読み出されて、その画像が演算処理装置３１によって器材表示部１１に表示される。
【００５１】
副工程有無データは、主工程が副工程を有するか否かを示すデータである。画面Ａ〜Ｄの表示の際には副工程有無データが演算処理装置３１によって参照されて、標識表示部１４の標識を表示するか否かが演算処理装置３１によって決定される。また、画面Ａ〜Ｄの表示の際に、作業者が入力装置３４を操作した時に副工程有無データが演算処理装置３１によって参照されて、主工程の画面Ａ〜Ｄから画面Ｂ１，Ｄ１に遷移するか否かが演算処理装置３１によって決定される。
【００５２】
図７は、副工程データ４７のデータ構成を示した図面である。副工程データ４７は、上位プロセス順番データと、主工程順番データと、副工程順番データと、作業内容データと、画像指定データと、を有する。
上位プロセス順番データは副工程が属する上位プロセスの順番を示すデータであり、上位プロセス順番データの値が等しい副工程データ４７と上位プロセスデータ４５は互いに対応付けられている。
主工程順番データは、副工程が属する主工程の順番を示すデータであり、主工程順番データの値が等しい副工程データ４７と主工程データ４６は互いに対応付けられている。副工程順番データは、副工程の順番を示すデータである。画面Ｂ〜Ｂ１の遷移、画面Ｂ１〜Ｂ２の遷移、画面Ｄ〜Ｄ１の遷移、画面Ｄ１〜Ｄ２の遷移は、主工程順番データ及び副工程順番データに基づいて行われる。また、画面Ｂ１，Ｂ２，Ｄ１，Ｄ２の表示の際には、主工程順番データ及び副工程順番が演算処理装置３１によって参照されて、主工程順番データ及び副工程順番に従って順番表示部１５の表示内容が演算処理装置３１によって決定される。
【００５３】
作業内容データは、副工程の作業内容を示すテキストデータである。画面Ｂ１，Ｂ２，Ｄ１，Ｄ２の表示の際には、作業内容データが演算処理装置３１によって参照されて、作業内容データに従って作業内容表示部１２の表示内容が演算処理装置３１によって決定される。
画像指定データは、複数の画像データ４８の中から特定の画像データ４８を指定するためのデータであり、より具体的には特定の画像データ４８の固有のデータ（例えばファイル名、識別子）である。画面Ｂ１，Ｂ２，Ｄ１，Ｄ２の表示の際には、画像指定データが演算処理装置３１によって参照されて、画像指定データに従って指定された画像データ４８が演算処理装置３１によって読み出されて、その画像が器材表示部１１に表示される。
【００５４】
＜３−３．プログラム＞
図４に示すように、記憶装置３２には、演算処理装置３１によって実行可能な基本プログラム４１、表示プログラム４２及び作業フロー作成支援プログラム（ＧＵＩプログラム）４３が格納されている。
【００５５】
基本プログラム４１は、ＯＳ（Operating System）及びそのＯＳのＧＵＩ（Graphical User Interface）を実現するためのプログラムである。演算処理装置３１がその基本プログラム４１を起動・実行することによって、記憶装置３２、表示装置３３、入力装置３４及び通信ユニット３５が演算処理装置３１によって制御されるとともに、これらの間でデータ転送が行われる。例えば、演算処理装置３１が記憶装置３２に対してデータの記録及び読込を行う。また、演算処理装置３１が演算処理に従ったビデオ信号を表示装置３３に出力し、そのビデオ信号に従った画面が表示装置３３に表示される。また、入力装置３４が操作されることによって操作内容に応じた信号を演算処理装置３１に出力し、演算処理装置３１が入力装置３４から入力した信号に従った演算処理を行う。また、通信ユニット３５が演算処理装置３１によって制御されることによって、通信ユニット３５が所定のプロトコルで通信ネットワーク４に接続するので、演算処理装置３１とサーバ２や端末３−２，３−３が通信ネットワーク４を通じて無線通信可能な状態になる。
【００５６】
表示プログラム４２は、基本プログラム４１のＯＳにインストールされており、ＯＳ上において演算処理装置３１にとって実行可能なものである。表示プログラム４２が演算処理装置３１によって起動・実行されることによって、演算処理装置３１が作業フローコンテンツ４４を読み込み、作業フローコンテンツ４４に従った画面の遷移（例えば、画面Ａ〜Ｄ，Ｂ１，Ｂ２，Ｄ１，Ｄ２）が作業者による入力装置３４の操作に応じて進行するように演算処理装置３１が表示装置３３を制御する。ここで、遷移する各画面（例えば、画面Ａ〜Ｄ，Ｂ１，Ｂ２，Ｄ１，Ｄ２）の表示の際には、演算処理装置３１は作業フローコンテンツ４４に従って器材表示部１１、作業内容表示部１２、順番表示部１３、標識表示部１４、順番表示部１５及び工程分類表示部１６の表示内容を決定して、それら表示内容をレンダリングするように各画面を生成する。なお、画面の遷移の一例としての画面Ａ〜Ｄ，Ｂ１，Ｂ２，Ｄ１，Ｄ２は、「２．医療器材取扱作業及び画面遷移」において説明した通りである。
【００５７】
作業フロー作成支援プログラム４３は、基本プログラム４１のＯＳにインストールされており、ＯＳ上において演算処理装置３１にとって実行可能なものである。作業フロー作成支援プログラム４３が演算処理装置３１によって起動・実行されることによって、ＧＵＩが入力装置３４により操作されるとともに、ＧＵＩが表示装置３３に表示される。
【００５８】
＜３−４．作業フロー作成画面＞
図８は、表示装置３３に表示される作業フロー作成画面の一例である。図８に示す作業フロー作成画面は、演算処理装置３１が作業フロー作成支援プログラム４３に従って表示装置３３を制御することによって実現されるＧＵＩである。従って、ユーザーが入力装置３４を操作すれば、その操作内容に従って作業フロー作成画面が演算処理装置３１により操作される。
図８に示す作業フロー作成画面は、所定の上位プロセスに属する主工程・副工程の順番や作業内容を作成するための画面である。つまり、作業フロー作成画面が頁であるものとして、上位プロセスごとに作業フロー作成画面が表示される。
【００５９】
ここで、演算処理装置３１が作業フロー作成支援プログラム４３に従って作業フロー作成画面を生成し、その作業フロー作成画面に従った映像信号を表示装置３３に出力することによって、図８に示すような作業フロー作成画面が表示装置３３に表示される。作業フロー作成画面の生成の際には、演算処理装置３１が、頁操作ウィジェット５０及び工程ウィジェット６１，６４を作業フロー作成画面に配置して、頁操作ウィジェット５０及び工程ウィジェット６１，６４を作業フロー作成画面に合成する。そのため、表示装置３３に表示される作業フロー作成画面の左側には、頁操作ウィジェット５０が表示され、頁操作ウィジェット５０の右側の領域６０には、医療器材取扱作業の上位プロセスに属する各主工程・副工程を表す工程ウィジェット６１，６４が格子状に配置されるように表示される。
【００６０】
作業フロー作成画面の最上段に配列されたウィジェット６１は、医療器材取扱作業の上位プロセスに属する各主工程を表す主工程ウィジェットであり、それ以外のウィジェット６４は、医療器材取扱作業の上位プロセスに属する各副工程を表す副工程ウィジェットである。これら主工程ウィジェット６１は、主工程順に画面左から右へ横方向に一列に配列されている。主工程を構成する副工程がある場合には、その主工程を構成する各副工程を表す副工程ウィジェット６４が、主工程ウィジェット６１の下側において、副工程順に画面上から下へ縦方向に配列されている。
【００６１】
主工程ウィジェット６１の左右隣り同士の間には、リンクマーク６７が表示されている。リンクマーク６７は、主工程からその次の主工程に続くことを表すものである。
主工程を構成する副工程がある場合には、主工程ウィジェット６１とその下側の副工程ウィジェット６４との間にリンクマーク６８が表示される。リンクマーク６８は、その上側の主工程ウィジェット６１によって表された主工程が副工程から構成されることを表するものである。
副工程ウィジェット６４の上下隣り同士の間には、リンクマーク６９が表示されている。リンクマーク６９は副工程からその次の副工程に続くことを表すものである。
なお、作業フローコンテンツ４４のデータ内容によっては、作業フロー作成画面の領域６０が白紙（工程ウィジェット６１，６４及びリンクマーク６７〜６９が表示されていない状態のこと）であることもある。
【００６２】
主工程ウィジェット６１は主工程データ４６に一対一で対応付けられ、主工程ウィジェット６１と主工程データ４６の対応付けは主工程順番データによって実現される。つまり、作業フロー作成画面の生成・表示の際、演算処理装置３１は主工程データ４６の主工程順番データを参照して、主工程順番データに基づいて作業フロー作成画面内の主工程ウィジェット６１の配置位置を決定する。従って、主工程データ４６の主工程順番データは、主工程データ４６に対応付けられた主工程ウィジェット６１の配置位置（画面左からの順番）を表す。
【００６３】
また、主工程データ４６が演算処理装置３１によって記憶装置３２に生成されると、主工程ウィジェット６１が作業フロー作成画面に追加されるように演算処理装置３１が処理を行う。反対に、主工程データ４６が演算処理装置３１によって記憶装置３２から削除されると、その主工程データ４６に対応付けられた主工程ウィジェット６１が作業フロー作成画面から削除されるように演算処理装置３１が処理を行う。主工程ウィジェット６１の追加・削除については後に詳述する。
【００６４】
副工程ウィジェット６４は副工程データ４７に一対一で対応付けられており、副工程ウィジェット６４と副工程データ４７の対応付けは主工程順番データ及び副工程順番データによって実現される。つまり、作業フロー作成画面の生成・表示の際、演算処理装置３１は副工程データ４７の主工程順番データ及び副工程順番データを参照して、作業フロー作成画面内の副工程ウィジェット６４の配置位置を決定する。従って、副工程データ４７の主工程順番データ及び副工程順番データは、副工程データ４７に対応付けられた副工程ウィジェット６４の配置位置を表す（主工程順番データが画面左からの順番を表し、副工程順番データが画面上からの順番を表す）。
【００６５】
また、副工程データ４７が演算処理装置３１によって記憶装置３２に生成されると、副工程ウィジェット６４が作業フロー作成画面に追加されるように演算処理装置３１が処理を行う。反対に、副工程データ４７が演算処理装置３１によって記憶装置３２から削除されると、その副工程データ４７に対応付けられた副工程ウィジェット６４が作業フロー作成画面から削除されるように演算処理装置３１が処理を行う。副工程ウィジェット６４の追加・削除については後に詳述する。
【００６６】
＜３−５．工程ウィジェットの種別＞
主工程ウィジェット６１は、図９に示すような作業登録済みウィジェット６２（以下、登録済みウィジェット６２という。）と、図１０に示すような作業未登録ウィジェット６３（以下、未登録ウィジェット６３という。）とに分類される。登録済みウィジェット６２は、その登録済みウィジェット６２（主工程ウィジェット６１）に対応付けられた主工程データ４６に作業内容データ、分類データ及び画像指定データが登録されたことを表すものである。未登録ウィジェット６３は、その未登録ウィジェット６３（主工程ウィジェット６１）に対応付けられた主工程データ４６に主工程順番データが登録されているが、作業内容データ、分類データ及び画像指定データが登録されていないことを表すものである。
【００６７】
副工程ウィジェット６４も、図１１に示すような作業登録済みウィジェット６５（以下、登録済みウィジェット６５という。）と、図１２に示すような作業未登録ウィジェット６６（以下、作業未登録ウィジェット６６という。）とに分類される。登録済みウィジェット６５は、その登録済みウィジェット６５（副工程ウィジェット６４）に対応付けられた副工程データ４７に作業内容データ及び画像指定データが登録されたことを表すものである。未登録ウィジェット６６は、その未登録ウィジェット６６（副工程ウィジェット６４）に対応付けられた副工程データ４７に主工程順番データ及び副工程順番データが登録されているが、作業内容データ及び画像指定データが登録されていないことを表すものである。
【００６８】
未登録ウィジェット６３，６６には、ボタン６３ａ，６６ａが配置されている。
登録済みウィジェット６２，６５には、器材表示部６２ａ，６５ａ、作業内容表示部６２ｂ，６５ｂ、編集ボタン６２ｃ，６５ｃ、繰り上げボタン６２ｅ，６５ｅ及び繰り下げボタン６２ｆ，６５ｆが配置されている。
【００６９】
器材表示部６２ａには、登録済みウィジェット６２（主工程ウィジェット６１）に対応付けられた主工程データ４６の画像指定データにより指定された画像データ４８の画像が表示される。作業内容表示部６２ｂには、登録済みウィジェット６２（主工程ウィジェット６１）に対応付けられた主工程データ４６の作業内容データの内容がテキストにより表示される。つまり、作業フロー作成画面の生成・表示の際、演算処理装置３１は主工程データ４６の作業内容データ及び画像指定データを参照して、その作業内容データ及び画像指定データに基づいて器材表示部６２ａの表示画像及び作業内容表示部６２ｂの表示テキストを決定する。
【００７０】
器材表示部６５ａには、登録済みウィジェット６５（副工程ウィジェット６４）に対応付けられた副工程データ４７の画像指定データにより指定された画像データ４８の画像が表示される。作業内容表示部６５ｂには、登録済みウィジェット６５（副工程ウィジェット６４）に対応付けられた副工程データ４７の作業内容データの内容がテキストにより表示される。つまり、作業フロー作成画面の生成・表示の際、演算処理装置３１は副工程データ４７の作業内容データ及び画像指定データを参照して、その作業内容データ及び画像指定データに基づいて器材表示部６５ａの表示画像及び作業内容表示部６５ｂの表示テキストを決定する。
【００７１】
登録済みウィジェット６２は、通常作業工程（詳細作業工程）を表す通常作業工程ウィジェットと、品質重要作業工程を表す品質重要作業工程ウィジェットと、カウント作業工程を表すカウント作業工程ウィジェットとに分類される。このような分類は、登録済みウィジェット６２に対応付けられた主工程データ４６の分類データにより実現される。つまり、主工程データ４６の分類データは、主工程データ４６に対応付けられた登録済みウィジェット６２の分類を表す。そして、通常作業工程ウィジェットと品質重要作業工程ウィジェットとカウント作業工程ウィジェットは視覚的に識別可能に表示される。つまり、作業フロー作成画面の生成・表示の際、演算処理装置３１は主工程データ４６の分類データを参照して、その分類データに基づいて作業フロー作成画面内の登録済みウィジェット６２の背景６２ｄの色を決定する。例えば、通常作業工程ウィジェットに分類される登録済みウィジェット６２の背景６２ｄは青色に描画され、品質重要作業工程ウィジェット及びカウント作業工程ウィジェットに分類される登録済みウィジェット６２の背景６２ｄが赤色に描画される。なお、登録済みウィジェット６５（副工程ウィジェット６４）の背景６５ｄは緑色に描画され、登録済みウィジェット６５と登録済みウィジェット６２を視覚的に識別可能である。
【００７２】
＜３−５．頁操作ウィジェット＞
図８に示すように、頁操作ウィジェット５０には、リストボックス５０ａ、前移動ボタン５１、次移動ボタン５２、追加ボタン５３及び削除ボタン５４が配置されている。リストボックス５０ａには、各上位プロセスデータ４５の作業名データの内容がリスト（選択肢）として、上から上位プロセス順番の順に表示されている。
【００７３】
リストボックス５０ａに表示されたリストのうち選択されたものと、選択されていないものは、視覚的に識別可能に表示されている。例えば選択されたリストは網がけされて表示され、選択されていないリストは網がけされずに表示される。選択されたリストに対応する上位プロセスデータ４５と上位プロセス順番データが等しい主工程データ４６及び副工程データ４５に基づいて、作業フロー作成画面の領域６０の表示内容が決定される。
【００７４】
前移動ボタン５１及び次移動ボタン５２は、リストボックス５０ａにおける選択を変更するものである。つまり、ユーザーによる入力装置３４の操作に従って前移動ボタン５１が演算処理装置３１により選択決定された場合には、選択（例えば網がけ）が演算処理装置３１によりリストボックス５０ａの１つ上のリストに変更されるとともに、変更後の選択リストに対応する上位プロセスデータ４５と上位プロセス順番データが等しい主工程データ４６及び副工程データ４５に基づいて、作業フロー作成画面の領域６０の表示内容が変更される。一方、ユーザーによる入力装置３４の操作内容に従って次移動ボタン５２が演算処理装置３１により選択決定された場合には、選択（例えば網がけ）が演算処理装置３１によりリストボックス５０ａ内の１つ下のリストに変更されるとともに、変更後の選択リストに対応する上位プロセスデータ４５と上位プロセス順番データが等しい主工程データ４６及び副工程データ４５に基づいて、作業フロー作成画面の領域６０の表示内容が変更される。
【００７５】
＜３−６．リスト及び上位プロセスデータの追加＞
頁操作ウィジェット５０の追加ボタン５３は、リストボックス５０ａにリストを追加し、更に上位プロセスデータ４５を新規に生成するためのものである。つまり、ユーザーが入力装置３４を操作することによってリストボックス５０ａの何れかのリストを選択すると、選択されたリストに対応する上位プロセスデータ４５が演算処理装置３１により選択される。その後、ユーザーが入力装置３４を操作することにより追加ボタン５３の選択決定をすると、作業名選択画面又は作業名入力画面が表示される。その画面においてユーザーが入力装置３４を操作することによって、作業名の入力又は選択をすると、新規の上位プロセスデータ４５が演算処理装置３１によって記憶装置３２に生成される。更に、作業フロー作成画面に戻って、リストボックス５０ａ中の選択リストの１つ下にリストが追加され、１つの登録済みウィジェット６２（主工程ウィジェット６１）が作業フロー作成画面の領域６０に表示される。
【００７６】
ここで、リストボックス５０ａに追加されたリストには、作業名選択画面又は作業名入力画面において選択又は入力された作業名が表示される。また、新規に作成される上位プロセスデータ４５には、作業名選択画面又は作業名入力画面において選択又は入力された作業名が作業名データとして登録される。また、新規に作成される上位プロセスデータ４５の上位プロセス順番データには、選択された上位プロセスデータ４５の上位プロセス順番データの値に１を加算した値が登録される。更に、選択された上位プロセスデータ４５以降の上位プロセスデータ４５（選択された上位プロセスデータ４５の上位プロセス順番データよりも値が大きいもの）及びそれに対応付けられた主工程データ４６及び副工程データ４７の上位プロセス順番データの値に１が加算されて更新される。
【００７７】
＜３−７．リスト及び上位プロセスデータの削除＞
頁操作ウィジェット５０の削除ボタン５４は、リストボックス５０ａから１つのリストを削除し、更に記憶装置３２から１つの上位プロセスデータ４５及びそれに対応付けられた主工程データ４６及び副工程データ４７を削除するためのものである。
【００７８】
具体的には、まず、ユーザーが入力装置３４を操作することによってリストボックス５０ａの何れかのリストを選択すると、選択されたリストに対応する上位プロセスデータ４５が演算処理装置３１により選択される。その後、ユーザーが入力装置３４を操作することにより削除ボタン５４の選択決定をする。そうすると、選択された上位プロセスデータ４５及びそれに対応付けられた主工程データ４６及び副工程データ４７が演算処理装置３１によって記憶装置３２から削除される。また、削除された上位プロセスデータ４５以降の上位プロセスデータ４５（削除された上位プロセスデータ４５の上位プロセス順番データよりも値が大きいもの）及びそれに対応付けられた主工程データ４６及び副工程データ４７の上位プロセス順番データの値に１が減算されて更新される。また、リストボックス５０ａ中の選択リストが削除され、削除された上位プロセスデータ４５の一つ前又は一つ後の上位プロセスデータ４５の上位プロセス順番データが等しい主工程データ４６及び副工程データ４５に基づいて、作業フロー作成画面の領域６０の表示内容が変更される。
【００７９】
＜３−８．主工程ウィジェットの表示変更及び新たな工程ウィジェットの追加表示＞
上述したように主工程ウィジェット６１は登録済みウィジェット６２（図９参照）と未登録ウィジェット６３（図１０）に分類されるが、主工程ウィジェット６１を未登録ウィジェット６３から登録済みウィジェット６２に変更することができる。以下、主工程ウィジェット６１の表示が未登録ウィジェット６３から登録済みウィジェット６２に変更される処理について、詳細に説明する。
【００８０】
ユーザーによる入力装置３４の操作内容に従って未登録ウィジェット６３（特に、ボタン６３ａ）が演算処理装置３１により選択決定された場合には、図１３に示すようなデータ登録ウィジェット７０が演算処理装置３１によって作業フロー作成画面に追加表示される。データ登録ウィジェット７０には、ラジオボタン７１、選択画像表示部７２、テキスト入力ボックス７３及び決定ボタン７４が配置される。
【００８１】
その後、ユーザーによる入力装置３４の操作内容に従って、ラジオボタン７１の複数の選択肢（「通常作業」、「品質重要作業」、「カウント作業」）の中から１つが演算処理装置３１により選択される。更に、ユーザーが入力装置３４を操作すると、その操作内容に従ったテキストがテキスト入力ボックス７３に入力される。更に、ユーザーによる入力装置３４の操作内容に従って、複数の画像データ４８の中から一又は複数の画像データ４８が演算処理装置３１により選択され、選択された画像データ４８の画像が演算処理装置３１によって選択画像表示部７２に表示される。ここで、ラジオボタン７１の「カウント作業」の選択肢が選択された場合、複数の画像データ４８の中から２以上の画像データ４８を選択することができ、選択画像表示部７２には選択した複数の画像データ４８の画像が演算処理装置３１によって選択画像表示部７２に格子状に配列した状態で表示される。一方、ラジオボタン７１の「通常作業」又は「品質重要作業」の選択肢を選択した場合、複数の画像データ４８の中から１つの画像データ４８を選択することができ、選択画像表示部７２には選択した１つの画像データ４８の画像が演算処理装置３１によって選択画像表示部７２に表示される。
【００８２】
その後、ユーザーによる入力装置３４の操作内容に従って、決定ボタン７４が演算処理装置３１によって選択決定される。これにより、未登録ウィジェット６３に対応付けられた主工程データ４６が更新される。具体的には、ラジオボタン７１において選択された選択肢が、未登録ウィジェット６３に対応付けられた主工程データ４６の分類データとして、演算処理装置３１によって記憶装置３２に記録される。更に、テキスト入力ボックス７３に入力されたテキストが、未登録ウィジェット６３に対応付けられた主工程データ４６の作業内容データとして、演算処理装置３１によって記憶装置３２に記録される。更に、選択画像表示部７２に表示された画像の選択画像データ４８の固有データ（例えば、ファイル名、識別子）が、未登録ウィジェット６３に対応付けられた主工程データ４６の画像指定データとして、演算処理装置３１によって記憶装置３２に記録される。
【００８３】
未登録ウィジェット６３に対応付けられた主工程データ４６が上述のように更新されると、図１４に示すように、その未登録ウィジェット６３が登録済みウィジェット６２に変更されるように作業フロー作成画面が演算処理装置３１によって表示装置３３に表示される。この際、演算処理装置３１は更新された主工程データ４６を参照して、その主工程データ４６に基づいて登録済みウィジェット６２を作業フロー作成画面に生成する。つまり、演算処理装置３１は、更新された主工程データ４６の作業内容データに基づいて登録済みウィジェット６２の作業内容表示部６２ｂの表示テキストを決定し、その主工程データ４６の画像指定データに基づいて複数の画像データ４８の中から器材表示部６２ａの表示画像を決定し、主工程データ４６の分類データに基づいて背景６２ｄの色を決定する。ここで、図１４（ａ）に示す画面は、未登録ウィジェット６３が登録済みウィジェット６２に表示変更される前の作業フロー作成画面の一例であり、図１４（ｂ）に示す画面は、未登録ウィジェット６３が登録済みウィジェット６２に変更表示された後の作業フロー作成画面の一例である。
【００８４】
上述のように未登録ウィジェット６３が登録済みウィジェット６２に変更される時には、変更後の登録済みウィジェット６２の下隣りに新たな副工程ウィジェット６４（特に、未登録ウィジェット６６）が追加されるように作業フロー作成画面が演算処理装置３１によって表示装置３３に表示される（図１４参照）。更に、新規の副工程データ４７が演算処理装置３１によって記憶装置３２に生成される。新規に生成される副工程データ４７の上位プロセス順番データには、リストボックス５０ａの中の選択リストに対応する上位プロセスデータ４５の上位プロセス順番データの値が登録される。新規に生成される副工程データ４７の主工程順番データには、未登録ウィジェット６３から変更された登録済みウィジェット６２に対応付けられた主工程データ４６の主工程順番データの値が登録される。また、新規に作成される副工程データ４７の副工程順番データには、「１」の値が登録される。なお、この時点では、新規に作成される副工程データ４７の作業内容データ及び画像指定データが登録されてないので、新たに表示された副工程ウィジェット６４は未登録ウィジェット６６である（図１４（ｂ）参照）。
【００８５】
上述のように未登録ウィジェット６３が登録済みウィジェット６２に変更される時には、変更後の登録済みウィジェット６２の右隣りに新たな主工程ウィジェット６１（特に、未登録ウィジェット６３）が追加されるように作業フロー作成画面が演算処理装置３１によって表示装置３３に表示される（図１４参照）。更に、新規の主工程データ４６が演算処理装置３１によって記憶装置３２に生成される。新規に生成される主工程データ４６の上位プロセス順番データには、リストボックス５０ａの中の選択リストに対応する上位プロセスデータ４５の上位プロセス順番データの値が登録される。新規に生成される主工程データ４６の主工程順番データには、未登録ウィジェット６３から変更された登録済みウィジェット６２に対応付けられた主工程データ４６の主工程順番データの値に１を加算した値が登録される。なお、この時点では、新規に作成される主工程データ４６の作業内容データ、分類データ及び画像指定データが登録されないので、新たに表示された主工程ウィジェット６１は未登録ウィジェット６３である（図１４（ｂ）参照）。
【００８６】
従って、ユーザーが以上のような操作を繰り返し行うと、図１５に示すように、未登録ウィジェット６３（主工程ウィジェット６１）及び未登録ウィジェット６６（副工程ウィジェット６４）が図１５の（ａ）〜（ｄ）の順のように作業フロー作成画面の左から右へ次々表示されていくとともに、未登録ウィジェット６３から登録済みウィジェット６２への変更表示が図１５の（ａ）〜（ｄ）の順のように作業フロー作成画面の左から右へ次々実行される。
【００８７】
＜３−９．副工程ウィジェットの表示変更及び新たな副工程ウィジェットの追加表示＞
副工程ウィジェット６４も登録済みウィジェット６５（図１１参照）と未登録ウィジェット６６（図１２）に分類されるが、副工程ウィジェット６４を未登録ウィジェット６６から登録済みウィジェット６５に変更することができる。以下、副工程ウィジェット６４の表示が未登録ウィジェット６６から登録済みウィジェット６５に変更される処理について説明する。
【００８８】
ユーザーによる入力装置３４の操作内容に従って未登録ウィジェット６６（特に、ボタン６６ａ）が演算処理装置３１により選択決定されると、データ登録ウィジェット７０（図１３参照）が表示される。但し、この際、データ登録ウィジェット７０には、ラジオボタン７１が表示されない。そして、主工程ウィジェット６１が未登録ウィジェット６３から登録済みウィジェット６２に変更される場合と同様に、ユーザーが入力装置３４によりデータ登録ウィジェット７０を操作して、未登録ウィジェット６６に対応付けられた副工程データ４７が更新される。
【００８９】
具体的には、テキスト入力ボックス７３に入力されたテキストが、未登録ウィジェット６６に対応付けられた副工程データ４７の作業内容データとして、演算処理装置３１によって記憶装置３２に記録される。更に、選択画像表示部７２に表示された画像の選択画像データ４８の固有データ（例えば、ファイル名、識別子）が、未登録ウィジェット６６に対応付けられた副工程データ４７の画像指定データとして、演算処理装置３１によって記憶装置３２に記録される。
【００９０】
未登録ウィジェット６６に対応付けられた副工程データ４７が上述のように更新されると、図１６に示すように、その未登録ウィジェット６６が登録済みウィジェット６５に変更されるように作業フロー作成画面が演算処理装置３１によって表示装置３３に表示される。この際、演算処理装置３１は更新された副工程データ４７を参照して、その副工程データ４７に基づいて登録済みウィジェット６５を作業フロー作成画面に生成する。つまり、演算処理装置３１は、更新された副工程データ４７の作業内容データに基づいて登録済みウィジェット６５の作業内容表示部６５ｂの表示テキストを決定し、その副工程データ４７の画像指定データに基づいて複数の画像データ４８の中から器材表示部６５ａの表示画像を決定する。ここで、図１６（ａ）に示す画面は、未登録ウィジェット６６が登録済みウィジェット６５に表示変更される前の作業フロー作成画面の一例であり、図１６（ｂ）に示す画面は、未登録ウィジェット６６が登録済みウィジェット６５に変更表示された後の作業フロー作成画面の一例である。
【００９１】
上述のように未登録ウィジェット６６が登録済みウィジェット６５に変更される時には、変更後の登録済みウィジェット６５の下隣りに新たな副工程ウィジェット６４（特に、未登録ウィジェット６６）が追加されるように作業フロー作成画面が演算処理装置３１によって表示装置３３に表示される（図１６参照）。更に、新規の副工程データ４７が演算処理装置３１によって記憶装置３２に生成される。新規に生成される副工程データ４７の上位プロセス順番データには、リストボックス５０ａの中の選択リストに対応する上位プロセスデータ４５の上位プロセス順番データの値が登録される。新規に生成される副工程データ４７の主工程順番データには、未登録ウィジェット６６から変更された登録済みウィジェット６５に対応付けられた主工程データ４６の主工程順番データの値が登録される。また、新規に作成される副工程データ４７の副工程順番データには、未登録ウィジェット６６から変更された登録済みウィジェット６５に対応付けられた主工程データ４６の副工程順番データの値に１を加算した値が登録される。なお、この時点では、新規に作成される副工程データ４７の作業内容データ及び画像指定データが登録されないので、新たに表示された副工程ウィジェット６４は未登録ウィジェット６６である（図１６（ｂ）参照）。
【００９２】
従って、ユーザーが以上のような操作を繰り返し行うと、図１７に示すように、未登録ウィジェット６６（副工程ウィジェット６４）が図１７の（ａ）〜（ｄ）の順のように作業フロー作成画面の上から下へ次々表示されるとともに、未登録ウィジェット６６から登録済みウィジェット６５への変更表示が図１７の（ａ）〜（ｄ）の順のように作業フロー作成画面の上から下へ次々実行される。
【００９３】
＜３−１０．登録済みウィジェットの編集・削除及び工程データの一部変更・削除＞
登録済みウィジェット６２，６５には編集ボタン６２ｃ，６５ｃが配置されているが（図９、図１１参照）、編集ボタン６２ｃ，６５ｃは工程データ４５，４６の一部変更や削除をするためのものである。つまり、ユーザーによる入力装置３４の操作内容に従って、何れか１つの登録済みウィジェット６２の編集ボタン６２ｃが演算処理装置３１により選択決定された場合には、選択された登録済みウィジェット６２に対応付けられた主工程データ４６の一部変更又は削除をすることができる。
【００９４】
その後、ユーザーによる入力装置３４の操作内容に従って、選択された登録済みウィジェット６２に対応付けられた主工程データ４６の作業内容データ、分類データ又は画像指定データが演算処理装置３１によって変更される。その変更後の主工程データ４６が演算処理装置３１により記憶装置３２に更新記録される。そうすると、演算処理装置３１は更新された主工程データ４６を参照して、その主工程データ４６に基づいて作業フロー作成画面内の登録済みウィジェット６２の器材表示部６２ａ、作業内容表示部６２ｂ又は背景６２ｄの表示を変更する。
【００９５】
一方、ユーザーによる入力装置３４の操作内容に従って、選択された登録済みウィジェット６２に対応付けられた主工程データ４６の作業内容データ、分類データ及び画像指定データが演算処理装置３１により削除されると、変更後の主工程データ４６が演算処理装置３１により記憶装置３２に更新記録される。そうすると、選択された登録済みウィジェット６２が未登録ウィジェット６３に変更されるように作業フロー作成画面が演算処理装置３１によって表示装置３３に表示される。
【００９６】
なお、ユーザーが入力装置３４を操作することによって何れか１つの登録済みウィジェット６５の編集ボタン６５ｃが演算処理装置３１により選択決定された場合にも同様にして、選択された登録済みウィジェット６５に対応付けられた副工程データ６５の一部変更又は削除をすることができる。
【００９７】
＜３−１１．工程順番の変更＞
登録済みウィジェット６２，６５には繰り上げボタン６２ｅ，６５ｅ及び繰り下げボタン６２ｆ，６５ｆが配置されているが（図９、図１１参照）、繰り上げボタン６２ｅ，６５ｅは登録済みウィジェット６２，６５の順番を繰り上げるためのものであり、繰り下げボタン６２ｆ，６５ｆは登録済みウィジェット６２，６５の順番を繰り下げるためのものである。つまり、ユーザーが入力装置３４を操作することによって何れか１つの登録済みウィジェット６２（主工程ウィジェット６１）の繰り上げボタン６２ｅ（又は繰り下げボタン６２ｆ）が演算処理装置３１により選択決定されると、演算処理装置３１は選択された登録済みウィジェット６２（主工程ウィジェット６１）及びその下側の副工程ウィジェット６４の列と、選択された登録済みウィジェット６２（主工程ウィジェット６１）の左隣り（又は、繰り下げボタン６２ｆの場合は右隣り）の主工程ウィジェット６１及びその下側の副工程ウィジェット６４の列とを入れ替えるような作業フロー作成画面を表示装置３３に表示させる。それに伴い、演算処理装置３１は、選択された工程ウィジェット６１，６４に対応付けられた工程データ４６，４７の主工程順番データと、その左隣り（又は、繰り下げボタン６２ｆの場合は右隣り）の工程ウィジェット６１，６４に対応付けられた工程データ４６，４７の主工程順番データとを置換して、置換後の工程データ４６，４７を記憶装置３２に更新記録する。
【００９８】
以上のように、ユーザーにとっては二つの主工程ウィジェット６１の入れ替えや、主工程の順番の入れ替えが簡単に実現される。
【００９９】
また、ユーザーが入力装置３４を操作することによって何れか１つの登録済みウィジェット６５（副工程ウィジェット６４）の繰り上げボタン６５ｅ（又は繰り下げボタン６５ｆ）が演算処理装置３１により選択決定されると、演算処理装置３１は、選択された副工程ウィジェット６４と、上隣り（又は、繰り下げボタン６５ｆの場合には下隣り）の副工程ウィジェット６４を入れ替えるような作業フロー作成画面を表示装置３３に表示させる。それに伴い、演算処理装置３１は、選択された副工程ウィジェット６４に対応付けられた副工程データ４７の副工程順番データと、その上隣り（又は、繰り下げボタン６５ｆの場合は下隣り）の副工程ウィジェット６４に対応付けられた副工程データ４７の副工程順番データとを置換して、置換後の副工程データ４７を記憶装置３２に更新記録する。
【０１００】
以上のように、ユーザーにとっては二つの副工程ウィジェット６４の入れ替えや、副工程の順番の入れ替えが簡単に実現される。
【０１０１】
＜３−１２．印刷＞
端末３−１に印刷装置が接続されている場合には、印刷を行える。つまり、ユーザーが入力装置３４を操作することによって印刷処理を演算処理装置３１に実行させると、演算処理装置３１が作業フロー作成画面の領域６０を印刷データに変換して、その印刷データを印刷装置に出力する。これにより、作業フロー作成画面の領域６０の像が印刷装置によって媒体（例えば紙）に形成される。
【０１０２】
＜４．効果・利点について＞
以上の実施の形態によれば、次のような効果が得られる。
（１）  以上のようなシステム１を用いれば、医療器材の取扱作業のマニュアル（作業フローコンテンツ４４及び表示プログラム４２により実現される画面遷移）を簡単に作成することができる。つまり、ＧＵＩの作業フロー作成画面は視認性及び操作性に優れ、ユーザーが表示装置３３の作業フロー作成画面を見ながら入力装置３４によりＧＵＩの作業フロー作成画面を直感的に操作できる。
【０１０３】
（２）  「３−８．主工程ウィジェットの表示変更及び新たな工程ウィジェットの追加表示」において説明したように、未登録ウィジェット６３に対応付けられた主工程データ４６に作業内容データ、画像指定データ及び分類データが追加されると、その未登録ウィジェット６３が登録済みウィジェット６２に変更された上で、その右隣りに未登録ウィジェット６３が、その下隣りに未登録ウィジェット６６が自動的に表示される。そのため、ユーザーインターフェースに慣れていないユーザーでも、新たに表示された未登録ウィジェット６３，６６に対応付けられた工程データ４５，４７の作成を直感的に続けて行える。つまり、医療器材の取扱作業のマニュアルを連続的に作成することができる。
【０１０４】
（３）  「３−９．副工程ウィジェットの表示変更及び新たな副工程ウィジェットの追加表示」において説明したように、未登録ウィジェット６６に対応付けられた副工程データ４７に作業内容データ、画像指定データ及び分類データが追加されると、その未登録ウィジェット６６が登録済みウィジェット６５に変更された上で、その下隣りに未登録ウィジェット６６が自動的に表示される。そのため、ユーザーインターフェースに慣れていないユーザーでも、新たに表示された未登録ウィジェット６６に対応付けられた工程データ４７の作成を直感的に続けて行える。つまり、医療器材の取扱作業手順のマニュアルを連続的に作成することができる。
【０１０５】
（４）  図１３に示すようなデータ登録ウィジェット７０を利用して、工程データ４５，４７に作業内容データ、画像指定データ及び分類データの入力作業を簡単に行える。
【０１０６】
（５）  登録済みウィジェット６２（主工程ウィジェット６１）が工程順に一列に配列されるので、ユーザー等が医療器材の取扱作業を構成する主工程の順番を直感的に認識できる。その主工程を構成する副工程の順番も、登録済みウィジェット６５（副工程ウィジェット６４）により直感的に認識できる。
【０１０７】
（６）  どのユーザーがシステム１を用いて医療器材の取扱作業のマニュアル（作業フローコンテンツ４４及び表示プログラム４２により実現される画面遷移）を作成しても、マニュアルが一定の様式（ひな形）に従ったものとなる。従って、どのユーザーがマニュアルを作成しても、マニュアルの質が一定の水準を満たす。
【０１０８】
＜５．変形例について＞
（１）  上記実施形態では、端末３−１を利用して作業フローコンテンツ４４を作成したが、端末３−２，３−３又はサーバ２を利用して作業フローコンテンツ４４を作成してもよい。つまり、端末３−１，３−２，３−３及びサーバ２は何れも支援装置且つＧＵＩ装置であり、表示プログラム４２，作業フロー作成プログラム４３及び画像データ４８が端末３−１，３−２，３−３及びサーバ２の間で同期され、端末３−１〜３−３，サーバ２の何れかで作成された作業フローコンテンツ４４も端末３−１，３−２，３−３及びサーバ２の間で同期される。
【０１０９】
（２）  上記実施形態では、主工程ウィジェット６１が作業フロー作成画面の最上段に横方向に配列され、各主工程ウィジェット６１の下側に副工程ウィジェット６４が縦方向に配列されていた。それに対して、主工程ウィジェット６１が作業フロー作成画面の左側（又は右側）に縦方向に配列され、各主工程ウィジェット６１の左側（左側）に副工程ウィジェット６４が横方向に配列されてもよい。この場合、ユーザーが「３−８．主工程ウィジェットの表示変更及び新たな工程ウィジェットの追加表示」で説明した操作を繰り返し行うと、未登録ウィジェット６３（主工程ウィジェット６１）及び未登録ウィジェット６６（副工程ウィジェット６４）が作業フロー作成画面の上から下へ次々表示されていくとともに、未登録ウィジェット６３から登録済みウィジェット６２への変更表示が作業フロー作成画面の上から下へ次々実行される。また、ユーザーが「３−９．副工程ウィジェットの表示変更及び新たな副工程ウィジェットの追加表示」で説明した操作を繰り返し行うと、未登録ウィジェット６６（副工程ウィジェット６４）が作業フロー作成画面の左から右へ（又は、右から左へ）次々表示されるとともに、未登録ウィジェット６６から登録済みウィジェット６５への変更表示が作業フロー作成画面の左から右へ（又は、右から左へ）次々実行される。
【０１１０】
（３）  上記実施形態では、画像データ４８は医療器材が写ったものであり、作成されるマニュアル（作業フローコンテンツ４４及び表示プログラム４２により実現される画面遷移）が医療器材の取扱作業のマニュアルであった。それに対して、画像データ４８は医療器材以外の物品（例えば、アプリケーションソフトウェアによって表示されたディスプレイの表示画面、パソコン、携帯電話機、家庭用電化製品、家庭用品、家具、建具、工作機械、切削機械等）が写ったものであり、作成されるマニュアル（作業フローコンテンツ４４及び表示プログラム４２により実現される画面遷移）が医療器材以外の物品の取扱作業のマニュアルであってもよい。
【０１１１】
（４）  上記の説明では、「ウィジェット」という用語を用いたが、「アプレット」、「ガジェット」という用語も同義である。
【符号の説明】
【０１１２】
２…サーバ（ＧＵＩ装置），  ３−１〜３−３…端末（ＧＵＩ装置），  ３１…演算処理装置（コンピュータ），  ３４…入力装置，  ３２…記憶装置，  ４３…作業フロー作成支援プログラム（プログラム），  ４４…作業フローコンテンツ，  ４５…主工程データ，  ４７…副工程データ，  ４８…画像データ，  ６１…主工程ウィジェット，  ６２…登録済みウィジェット，  ６３…未登録ウィジェット，  ６４…副工程ウィジェット，  ６５…登録済みウィジェット，  ６６…未登録ウィジェット
【図１】
2018060293.tif 000003
【図２】
2018060293.tif 000004
【図３】
2018060293.tif 000005
【図４】
2018060293.tif 000006
【図５】
2018060293.tif 000007
【図６】
2018060293.tif 000008
【図７】
2018060293.tif 000009
【図８】
2018060293.tif 000010
【図９】
2018060293.tif 000011
【図１０】
2018060293.tif 000012
【図１１】
2018060293.tif 000013
【図１２】
2018060293.tif 000014
【図１３】
2018060293.tif 000015
【図１４】
2018060293.tif 000016
【図１５】
2018060293.tif 000017
【図１６】
2018060293.tif 000018
【図１７】
2018060293.tif 000019